(57)【特許請求の範囲】
【請求項１】
二本のチューブ容器と、二剤吐出器と、二剤吐出器を装着するとともに、二本のチューブ容器を覆うカバー本体と、カバー本体の下部に装着される底本体と、底本体の下部内方に弾性体を介して弾装される押上部材と、カバー本体内で上昇するとともに、二本のチューブ容器を絞る絞り部材とからなる二連チューブ繰り出し装置において、
底本体は、頂壁と外周壁とを具え、頂壁の上面には、内側に向かってラチェット歯が形成された固定ラチェット板が立設されており、
押上部材は、底壁と、外周が底本体の外周壁内を上下動可能に案内される案内周壁とを具え、底壁の上面には、前記固定ラチェット板と平行に延びる可動ラチェット板が立設されており、
絞り部材は、底本体の固定ラチェット板および押上部材の可動ラチェット板に上下動可能に案内される外枠を具え、外枠の枠壁に下端から所定の位置に切欠きが設けられ、それぞれの連設部を軸に押し込み変形可能となっている中央ラチェット部と、側ラチェット部とが形成され、
中央ラチェット部および側ラチェット部の外側下端部には、前記可動ラチェット板および固定ラチェット板と係合するラチェット突部が配設されていることを特徴とする二連チューブ繰り出し装置。
【請求項２】
絞り部材は、一定の枠壁に平行に、それぞれが回転自在に軸受けされるローラー体を具え、ローラー体は、枠壁の中央から両側方に二本ずつの組に分かれ、一組のローラー部の間で、チューブ容器の胴部を下方から挟んで絞ることを特徴とする請求項１記載の二連チューブ繰り出し装置。
【請求項３】
絞り部材は、外枠内周上端に連設される頂壁を具え、
頂壁には、それぞれのチューブ容器の胴部を下方から挟んで絞る絞り口が、枠壁に平行に配設されることを特徴とする請求項１記載の二連チューブ繰り出し装置。
【請求項４】
底本体の頂壁に、それぞれのチューブ容器の板状の底部が縦方向に挿入され案内する挿入口が穿設されていることを特徴とする請求項１〜３のいずれかに記載の二連チューブ繰り出し装置。
【請求項５】
底本体の固定ラチェット板と押上部材の可動ラチェット板のラチェット歯が、板側から先端まで水平に延びる上面と、先端から下方に傾斜して次の上面の板側端まで延びる傾斜面との連続で形成され、
絞り部材の中央ラチェット部と側ラチェット部のラチェット突部が、壁下端から水平に先端まで延びる下面と、先端から壁側上方に傾斜する傾斜面とを形成していることを特徴とする請求項１〜４のいずれかに記載の二連チューブ繰り出し装置。
【発明の詳細な説明】
【技術分野】
【０００１】
本発明は、チューブ繰り出し装置、特に、２つのチューブ容器を同時かつ均等に押しつぶして、２つのチューブ容器の内容物を同じタイミングで吐出するようにした二連チューブ繰り出し装置に関するものである。
【背景技術】
【０００２】
従来、二剤混合タイプの内容物を別々に充填した２つの容器から、使用時に二剤を等しく混合するように吐出する二連式吐出装置には、エアゾール容器を用いたものやポンプ式容器を用いたものがある。
しかしながら、エアゾール容器やポンプ式容器を用いるとコストが高くなり、より簡易で安価な装置が求められていた。
【０００３】
また、従来、スクイズ式チューブから内容物を均一に押し出す装置には種々のものがあり、例えば、２つのローラの間にチューブ容器を挟み、レバー状の駆動片を指で動かすことによって、駆動片とともに回転する駆動ローラ歯車により２つのローラが駆動してチューブ容器の内容物を絞り出すローラ式チューブ絞り器（特許文献１参照）や、一対のローラを回転自在に付設した一対の開口側端部の間にチューブ容器を挟持し、部材の弾性力により前記開口側端部の間に挟持力が働き、ローラを手指で回転させるとチューブ状容器が巻き込まれて内容物を均一に押し出すチューブ状容器用絞り器（特許文献２参照）などが知られている。
【先行技術文献】
【特許文献】
【０００４】
【特許文献１】実願昭６３−１５１５４５号（実開平２−７３１４０号）のマイクロフィルム
【特許文献２】実願昭５８−５６３９０号（実開昭５９−１６２４４９号）のマイクロフィルム
【発明の概要】
【発明が解決しようとする課題】
【０００５】
しかしながら、上記特許文献１、２記載の絞り器は、単一のチューブ容器に使用するもので、これらの絞り器のように、チューブ容器の位置を固定しない装置では、二剤を等しく混合して吐出することは難しい。
また、特許文献１記載の絞り器は、１回の駆動片の動きではチューブ容器を少ししか絞ることができず、特許文献２記載の絞り器は、ローラを直接手指で回転させるので、手指の負担が大きい。
【０００６】
本発明は、上記問題を解決することを課題とし、２つのチューブ容器を同時かつ均等に押しつぶして、２つのチューブ容器の内容物を等量に混合して同時に吐出するようにした簡易な二連チューブ繰り出し装置を提供することを目的とする。
【課題を解決するための手段】
【０００７】
本発明は、上記の課題を解決するため、二連チューブ繰り出し装置として、二本のチューブ容器と、二剤吐出器と、二剤吐出器を装着するとともに、二本のチューブ容器を覆うカバー本体と、カバー本体の下部に装着される底本体と、底本体の下部内方に弾性体を介して弾装される押上部材と、カバー本体内で上昇するとともに、二本のチューブ容器を絞る絞り部材とからなる二連チューブ繰り出し装置において、底本体は、頂壁と外周壁とを具え、頂壁の上面には、内側に向かってラチェット歯が形成された固定ラチェット板が立設されており、押上部材は、底壁と、外周が底本体の外周壁内を上下動可能に案内される案内周壁とを具え、底壁の上面には、前記固定ラチェット板と平行に延びる可動ラチェット板が立設されており、絞り部材は、底本体の固定ラチェット板および押上部材の可動ラチェット板に上下動可能に案内される外枠を具え、外枠の枠壁に下端から所定の位置に切欠きが設けられ、それぞれの連設部を軸に押し込み変形可能となっている中央ラチェット部と、側ラチェット部とが形成され、中央ラチェット部および側ラチェット部の外側下端部には、前記可動ラチェット板および固定ラチェット板と係合するラチェット突部が配設されていることを特徴とする構成を採用する。
【０００８】
絞り部材の実施例として、絞り部材は、一定の枠壁に平行に、それぞれが回転自在に軸受けされるローラー体を具え、ローラー体は、枠壁の中央から両側方に二本ずつの組に分かれ、一組のローラー部の間で、チューブ容器の胴部を下方から挟んで絞ることを特徴とする構成を採用する。
【０００９】
絞り部材の別実施例として、絞り部材は、外枠内周上端に連設される頂壁を具え、頂壁には、それぞれのチューブ容器の胴部を下方から挟んで絞る絞り口が、枠壁に平行に配設されることを特徴とする構成を採用する。
【００１０】
底本体の実施例として、底本体の頂壁に、それぞれのチューブ容器の板状の底部が縦方向に挿入され案内する挿入口が穿設されていることを特徴とする構成を採用する。
【００１１】
ラチェット機構の実施例として、底本体の固定ラチェット板と押上部材の可動ラチェット板のラチェット歯が、板側から先端まで水平に延びる上面と、先端から下方に傾斜して次の上面の板側端まで延びる傾斜面との連続で形成され、絞り部材の中央ラチェット部と側ラチェット部のラチェット突部が、壁下端から水平に先端まで延びる下面と、先端から壁側上方に傾斜する傾斜面とを形成していることを特徴とする構成を採用する。
【発明の効果】
【００１２】
本発明の二連チューブ繰り出し装置は、二本のチューブ容器と、二本のチューブ容器を装着する二剤吐出器と、二剤吐出器を装着するとともに、二本のチューブ容器を覆うカバー本体と、カバー本体の下部に装着される底本体と、底本体の下部内方に弾装される押上部材と、カバー本体内で上昇するとともに、二本のチューブ容器を絞る絞り部材とからなる二連チューブ繰り出し装置であり、押上部材を押し上げることで、絞り部材を押し上げ、絞り部材が二本のチューブ容器を同時につぶしながら上昇するので、簡単に二つの内容物を同時に吐出することができる。
また、押上部材の押し上げ後の弾性によって元に戻される際に、絞り部材が下降せず、そのまま押し上げ操作を繰り返して行うことができ、チューブ内の内容物を絞りだし、最後まで使用することができる。
【００１３】
また、簡単に内部のチューブ容器を取り外すことができるので、内部のチューブ容器を詰め替えて繰り返し使用することができる。
【図面の簡単な説明】
【００１４】
【図１】本発明の第１実施例の二連チューブ繰り出し装置の説明図で、（ａ）は正面断面図、（ｂ）は側面断面図である。
【図２】カバー本体の説明図で、（ａ）は上面図、（ｂ）は正面断面図、（ｃ）は側面断面図である。
【図３】底本体の説明図で、（ａ）は上面図、（ｂ）は正面断面図、（ｃ）は側面断面図である。
【図４】押上部材の説明図で、（ａ）は上面図、（ｂ）は正面断面図、（ｃ）は側面断面図である。
【図５】絞り部材の説明図で、（ａ）は上面図、（ｂ）は正面図、（ｃ）は側面断面図である。
【図６】底本体と押上部材とを組み立てた後、絞り部材を装着した上面図である。
【図７】押上部材を押し上げた時の説明図で、（ａ）は図６のＡ−Ａ線断面の要部拡大図、（ｂ）は図６のＢ−Ｂ断面の要部拡大図、（ｃ）は押し上げ進行時における図６のＢ−Ｂ断面の要部拡大図である。
【図８】押上部材の押し戻し時の説明図で、（ａ）は図６のＢ−Ｂ線断面の要部拡大図、（ｂ）は図６のＡ−Ａ断面の要部拡大図、（ｃ）は押し戻し進行時における図６のＡ−Ａ断面の要部拡大図である。
【図９】本発明の第２実施例の二連チューブ繰り出し装置の説明図で、（ａ）は正面断面図、（ｂ）は側面断面図である。
【図１０】絞り部材の説明図で、（ａ）は上面図、（ｂ）は正面断面図、（ｃ）は側面断面図である。
【発明を実施するための形態】
【００１５】
次に、本発明の二連チューブ繰り出し装置について、実施例をあげ、図面を参照して説明する。
【実施例１】
【００１６】
図１において、Ａはチューブ容器、Ｂは二本のチューブ容器Ａを装着する二剤吐出器、Ｃは上部に二剤吐出器Ｂを装着するとともに、二本のチューブ容器Ａを覆うカバー本体、Ｄはカバー本体Ｃの下部に装着される底本体、Ｅは底本体Ｄの下部内方に弾性体Ｆを介して弾装される押上部材、Ｇはカバー本体Ｃ内で上昇するとともに、二本のチューブ容器Ａを絞る絞り部材である。
【００１７】
チュ−ブ容器Ａは、口筒部１と肩部と胴部２とを具えており、胴部２の下端は、チューブを接着した底部３となっている。
口筒部１の外周には、ねじ４が螺設されている。
【００１８】
二剤吐出器Ｂは、チューブ容器Ａを装着するとともに、カバー本体Ｃに装着される二つのキャップ部材Ｂ１と、二つのキャップ部材Ｂ１に装着され、流路を形成するジョイント部材Ｂ２と、それぞれのジョイント部材Ｂ２に装着し一つに連通させるノズル下部材Ｂ３と、それぞれのジョイント筒部材Ｂ２およびノズル下部材Ｂ３に装着し、内容物を吐出するノズル上部材Ｂ４とからなっている。
【００１９】
キャップ部材Ｂ１は、リング状の上壁５と、上壁５の外縁に垂設される外筒６を具えており、外筒６の内周には、チューブ容器Ａの口筒部１外周のねじ４に螺合するねじ７が螺設されている。
【００２０】
ノズル上部材Ｂ４とノズル下部材Ｂ３は係合し、それぞれのチューブ容器Ａから吐出した内容物を、ノズル上部材Ｂ４により一つにまとめて吐出するようになっている。
ノズル上部材Ｂ４の内方には、ノズル下部材Ｂ３の底壁内面と係合し、それぞれのチューブ容器Ａから吐出した内容物を混ぜ合わせないようにする仕切り板８が、配設されている。  
【００２１】
カバー本体Ｃは、図１、２に示すように、略四辺形の頂壁１０と、頂壁１０の外縁から垂設され、それぞれ一対の縦壁１１ａと横壁１１ｂとを具えた外周壁１１と、外周壁１１の外周下端部から垂設される係合壁１２とを具えている。
【００２２】
頂壁１０の内方には、二剤吐出器Ｂのキャップ部材Ｂ１を挿通し、装着する二つの開口１３が穿設されている。
開口１３は、内周にキャップ部材Ｂ１の外筒６の外周が係合し、キャップ部材Ｂ１を着脱可能に装着するように形成されている。
【００２３】
底本体Ｄは、図１、３に示すように、略四辺形の頂壁１５と、頂壁１５外縁に内周上端が連設され、外周がカバー本体Ｃの係合壁１２の内周に係合し、装着されるそれぞれ一対の縦壁１６ａと横壁１６ｂとを具えた係合壁１６と、係合壁１６の外周下端部に連設され、上面に係合壁１２の下端面が当接する上壁１７と、上壁１７の外縁に垂設される外周壁１８とを具えている。
【００２４】
頂壁１５には、縦壁１６ａと平行する位置に二つのチューブ容器Ａを装着し、本発明装置の組み立て時に、それぞれのチューブ容器Ａの板状の底部３が縦方向に挿入される挿入口１９が穿設され、横壁１６ｂと平行する両方の外縁の中央部に、案内口２０が穿設されている。
挿入口１９の両端には、内方に傾斜する挿入案内片２１が形成されている。
【００２５】
頂壁１５の下面には、中央部に、弾性体Ｆの上部を装着する装着筒２２が垂設され、両方の案内口２０の内側縁に、案内片２３が垂設されている。
【００２６】
頂壁１５の上面には、横壁１６ｂを平行とする双方の外縁の案内口２０の両側に、内側に向かってラチェット歯２４が形成された固定ラチェット板２５が立設されている。
固定ラチェット板２５は、本発明の装置の組み立て時に、カバー本体Ｃの外周壁１１の上部までの高さに形成されている。
【００２７】
ラチェット歯２４は、板側から先端２４ａまで水平に延びる上面２４ｂと、先端２４ａから下方に傾斜して次の上面２４ｂの板側端まで延びる傾斜面２４ｃとの連続で形成されている。
【００２８】
押上部材Ｅは、図１、４に示すように、略四辺形の底壁３０と、底壁３０外縁に内周下端が連設され、外周が底本体Ｄの外周壁１８内を上下動可能に案内されるそれぞれ一対の縦壁３１ａと横壁３１ｂとを具えた案内周壁３１とを具えている。
案内周壁３１は、外周壁１８内で上下動可能な高さに形成されている。
【００２９】
底壁３０の上面には、中央側に、弾性体Ｆの下部を装着する装着筒３２が立設され、横壁３１ｂを平行とする両方の外側に、内側に向かってラチェット歯３３が形成された可動ラチェット板３４が立設されている。
【００３０】
ラチェット歯３３は、板側から先端３３ａまで水平に延びる上面３３ｂと、先端３３ａから下方に傾斜して次の上面３３ｂの板側端まで延びる傾斜面３３ｃとの連続で形成されている。
【００３１】
可動ラチェット板３４は、内側が底本体Ｄの頂壁１５の案内片２３の外側に、外側が底本体Ｄの係合壁１６の横壁１６ｂの内面に案内され、頂壁１５の案内口２０を挿通し、固定ラチェット板２５と平行に延びている。
また、可動ラチェット板３４は、本発明の装置の組み立て時に、押上部材Ｅを底本体Ｄに対して押し上げる高さの分だけ固定ラチェット板２５より低い高さに形成されている。
【００３２】
弾性体Ｆは、図１に示すように、上部が底本体Ｄの装着筒２２内に、下部が押上部材Ｅの装着筒３２内に装着されて固定されるとともに、平常時に、押上部材Ｅの底壁３０の下面が、底本体Ｄの外周壁１８の下端面とほぼ面一にする弾性をもったものである。
【００３３】
絞り部材Ｇは、図１、５に示すように、カバー本体Ｃの縦壁１１ａに上下動可能に案内される縦枠壁３５と、底本体Ｄの固定ラチェット板２５および押上部材Ｅの可動ラチェット板３４に上下動可能に案内される横枠壁３６とから略四辺形に形成される外枠を具えている。
また、両横枠壁３６の間で、縦枠壁３５に平行に、それぞれが回転自在に軸受けされる四本のローラー体３７を具えている。
【００３４】
ローラー体３７は、両側に突設する軸部３８とローラー部３９とからなっており、四本のローラー体３７は、横枠壁３６の中央から両側方に二本ずつの組に分かれる。
一組のローラー体３７は、二つのチューブ容器Ａを装着して本発明の装置の組み立て時に、二本のローラー部３９の間で、チューブ容器Ａの板状の底部３が縦方向に挿入されるとともに、チューブ容器Ａの胴部２を下方から挟んで絞ることができる位置で、横枠壁３６の間に配設されている。
【００３５】
横枠壁３６の内側面には、四本のローラー体３７の軸部３８を所定の位置に軸受けする軸受け部４０が凹設されている。
【００３６】
横枠壁３６には、下端から所定の位置に、四本の切欠き４１が設けられ、それぞれの連設部を軸に変形可能な中央の中央ラチェット部４２と、その両側の側ラチェット部４３とが形成されている。
また、中央の中央ラチェット部４２は、本発明の装置の組み立て時に、押上部材Ｅのそれぞれの可動ラチェット板３４と係合し、側ラチェット部４３は、底本体Ｄのそれぞれの固定ラチェット板２５と係合するように形成されている。
【００３７】
中央ラチェット部４２の外側下端部には、それぞれの可動ラチェット板３４のラチェット歯３３に係合するラチェット突部４４が配設されている。
ラチェット突部４４は、壁下端から水平に先端４４ａまで延びる下面４４ｂと、先端４４ａから壁側上方に傾斜する傾斜面４４ｃとを形成している。
【００３８】
側ラチェット部４３の外側下端部には、それぞれの固定ラチェット板２５のラチェット歯２４に係合するラチェット突部４５が配設されている。
ラチェット突部４５は、図８（ａ）に示すように、壁下端から水平に先端４５ａまで延びる下面４５ｂと、先端４５ａから壁側上方に傾斜する傾斜面４５ｃとを形成している。
【００３９】
次に、本実施例の二連チューブ繰り出し装置の作用効果について、説明する。
本実施例の二連チューブ繰り出し装置の組み立ては、まず、二剤吐出器Ｂのそれぞれのキャップ部材Ｂ１に、チューブ容器Ａの口筒部１を装着し、キャップ部材Ｂ１をそれぞれカバー本体Ｃの開口１３に嵌挿した後、二剤吐出器Ｂを組み立てる。
その際、それぞれのチューブ容器Ａの板状の底部３が、縦方向に平行になるようにキャップ部材Ｂ１およびカバー本体Ｃに装着されるようにする。
【００４０】
次に、底本体Ｄの頂壁１５の案内口２０に、押上部材Ｅの可動ラチェット板３４を挿入し、挿通させていくとともに、底本体Ｄと押上部材Ｅとの間に弾性体Ｆを装着し、底本体Ｄに押上部材Ｅを装着する。
その際、押上部材Ｅの可動ラチェット板３４と底本体Ｄの両固定ラチェット板２５は、面一となっている。
【００４１】
次に、図１、６に示すように、押上部材Ｅの可動ラチェット板３４および底本体Ｄの両側の固定ラチェット板２５と、絞り部材Ｇのそれぞれの横枠壁３６の中央ラチェット部４２および側ラチェット部４３を係合させながら、絞り部材Ｇの外枠の下面を、底本体Ｄの頂壁１５の上面に当接させるように、絞り部材Ｇを底本体Ｄに装着する。
【００４２】
最後に、二つのチューブ容器Ａの底部３を縦方向に、絞り部材Ｇのローラー体３７のそれぞれの組の間に挿入させていくとともに、底本体Ｄをカバー本体Ｃの係合壁１２内に装着し、本実施例の二連チューブ繰り出し装置が構成される。
その際、チューブ容器Ａの底部３は、絞り部材Ｇのローラー体３７のそれぞれの組の間を挿通するとともに底本体Ｄの頂壁１５に設けたそれぞれの挿入口１９内に案内される。
【００４３】
本実施例の二連チューブ繰り出し装置の使用時には、まず、押上部材Ｅの底壁３０を押し、底本体Ｄに対して押上部材Ｅを押し上げると、押上部材Ｅの両方の可動ラチェット板３４が、底本体Ｄに対して押し上げられる。
【００４４】
可動ラチェット板３４が押し上げられると、図７（ａ）に示すように、可動ラチェット板３４のラチェット歯３３の上面３３ｂと、絞り部材Ｇのそれぞれの横枠壁３６の中央ラチェット部４２のラチェット突部４４の下面４４ｂとが当接し、図７（ａ）に示すように、絞り部材Ｇが押し上げられる。
【００４５】
絞り部材Ｇが押し上げられると、絞り部材Ｇのローラー体３７のそれぞれの組が、それぞれのチューブ容器Ａの胴部２と当接し、それぞれが内方に向かって回転するとともに、胴部２を下方から絞り込み、チューブ容器Ａ内の内容物を口筒部１から吐出する。
【００４６】
それぞれのチューブ容器Ａの口筒部１から吐出された内容物は、二剤吐出器Ｂを介して、二剤吐出器Ｂのノズル上部材Ｂ４から吐出することができるとともに、二つの内容物が同じ量だけ吐出される。
【００４７】
また、二剤吐出器Ｂのノズル上部材Ｂ４内方に仕切り板８が配設されているので、二つの内容物が混ざらず、二つのストライプのある一つの吐出物として、吐出することができる。
【００４８】
絞り部材Ｇの押し上げに対して、底本体Ｄの頂壁１５のそれぞれの固定ラチェット２５は固定されているので、図７（ｂ）に示すように、固定ラチェット２５のラチェット歯２４の傾斜面２４ｃと、絞り部材Ｇのそれぞれの横枠壁３６の側ラチェット部４３のラチェット突部４５の先端４５ａおよび傾斜面４５ｃとが当接しながら摺動し、図７（ｃ）に示すように、側ラチェット部４３を横枠壁３６に対して、連設部を軸に押し込み変形させていく。
【００４９】
絞り部材Ｇの押し上げが続くと、ラチェット歯２４の傾斜面２４ｃと、ラチェット突部４５の先端４５ａおよび傾斜面４５ｃとの当接が外れるとともに、側ラチェット部４３に対しての変形が解かれ、復元し、ラチェット突部４５の先端４５ａが、次のラチェット歯２４の傾斜面２４ｃの板側に当接する。
【００５０】
さらに、絞り部材Ｇの押し上げが続くと、ラチェット歯２４の傾斜面２４ｃとラチェット突部４５の先端４５ａおよび傾斜面４５ｃとの係合により、側ラチェット部４３の他の壁に対しての変形および復元が行われながら、絞り部材Ｇの押し上げが続いていく。
【００５１】
底本体Ｄに対しての押上部材Ｅの押し上げは、押上部材Ｅの案内周壁３１の上端面が、底本体Ｄの上壁１７下面に当接することによって止められる。
【００５２】
押上部材Ｅの押し上げが止まると、可動ラチェット３４の押し上げも止まるとともに、絞り部材Ｇの押し上げも止まるので、それぞれのチューブ容器Ａの胴部２の絞り込みも止まり、内容物の吐出も止められる。
【００５３】
押上部材Ｅの底壁３０を押す力を外すと、押上部材Ｅは、弾性体Ｆの弾性により、底本体Ｄに対して押し戻される。
【００５４】
押上部材Ｅが押し戻されると、可動ラチェット板３４もともに押し戻されるが、図８（ａ）に示すように、底本体Ｄのそれぞれの固定ラチェット２５のラチェット歯２４の上面２４ｂと、絞り部材Ｇのそれぞれの横枠壁３６の側ラチェット部４３のラチェット突部４５の下面４５ｂとが当接し、底本体Ｄに対しての絞り部材Ｇの戻りを防止する。
【００５５】
可動ラチェット板３４の押し戻りに対して、絞り部材Ｇのそれぞれの横枠壁３６の中央ラチェット部４２は、図８（ｂ）に示すように、可動ラチェット３４のラチェット歯３３の傾斜面３３ｃおよび先端３３ａが、中央ラチェット部４２のラチェット突部４４の傾斜面４４ｃに当接しながら摺動し、図８（ｃ）に示すように、中央ラチェット部４２を横枠壁３６の他の壁に対して、連設部を軸に押し込み変形させていく。
【００５６】
可動ラチェット板３４の押し戻りが続くと、ラチェット突部４４の傾斜面４４ｃと、ラチェット歯３３の先端３３ａおよび傾斜面３３ｃとの当接が外れるとともに、中央ラチェット部４２に対しての変形が解かれ、復元し、ラチェット突部４４の先端４４ａおよび傾斜面４４ｃが、次のラチェット歯３３の傾斜面３３ｃの板側に当接する。
【００５７】
さらに、可動ラチェット板３４の押し戻りが続くと、ラチェット歯３３の先端３３ａおよび傾斜壁３３ｃとラチェット突部４４の先端４４ａおよび傾斜面４４ｃとの係合により、中央ラチェット部４２の他の壁に対しての変形および復元が行われながら、絞り部材Ｇを残したまま、可動ラチェット板３４の押し戻りが続いていく。
【００５８】
最後は、弾性体Ｆの弾性により、押上部材Ｅの底壁３０の下面が、底本体Ｄの外周壁１８の下端面とほぼ同一の高さになったとき、押上部材Ｅの押し戻しが止まる。
【００５９】
押上部材Ｅの押し戻しに対して、絞り部材Ｇが戻らず、固定され、それぞれのチューブ容器Ａの胴部２の絞り込みも止まったままであることにより、チューブ容器Ａ内の内容物の戻りを防止することができ、二剤吐出器Ｂ内またはチューブ容器Ａ内に異物が侵入することを防止することができ、清潔に使用することができる。
【００６０】
必要であれば、押上部材Ｅの底本体Ｄに対しての押し上げ操作を繰り返すことにより、絞り部材Ｇを押し上げ、二つのチューブ容器Ａ内の内容物を二剤吐出器Ｂを介して一度に必要な量だけ、吐出することができ、内容物を最後まで使用することができる。
【００６１】
本発明装置を使用し、チューブ容器Ａの胴部２が潰されたとしても、本発明装置の組み立て時に、チューブ容器Ａの底部３が、底本体Ｄの頂壁１５に設けたそれぞれの挿入口１９内で案内されているので、チューブ容器Ａが折れ曲がり、絞り部材Ｇのローラー体３７に巻き込まれることを防止することができる。
【００６２】
チューブ容器Ａの内容物を全て使い切った時には、まず、底本体Ｄをカバー本体Ｃから外す。
その際、絞り部材Ｇは、ローラー体３７の回転作用により、潰れたチュ−ブ容器Ａから簡単に外すことができる。
【００６３】
カバー本体Ｃに装着された二剤吐出器Ｂのキャップ部材Ｂ１と、潰れたチュ−ブ容器Ａの口筒部１との螺合を外し、潰れたチュ−ブ容器Ａを除去した後、新しいチューブ容器Ａをキャップ部材Ｂ１に螺合させて装着し、二連チューブ繰り出し装置を組み立てて使用することができ、本発明の二連チューブ繰り出し装置は、チューブ容器Ａを変えることで、何度でも繰り返して使用することができる。
【００６４】
上記実施例では、二剤吐出器Ｂのノズル側の内方に仕切り板８が配設され、それぞれのチューブ容器Ａから吐出された内容物を混ぜ合わせないようにしているが、仕切り板８を配設せず、内容物を混合させて、ノズル上部材Ｂ４から吐出するような二剤吐出器でもよい。
本発明の二剤吐出器は、二つのチューブ容器に装着し、同時に一つの吐出口から吐出できるものであればよいので、二剤吐出器の構成は上記実施例の実施形態に限定されない。
【００６５】
上記実施例では、底本体Ｄの頂壁１５の横壁１６ｂを平行とする両方の外縁に、案内口２０と固定ラチェット板２５を配設し、それに対応して、押上部材Ｅの底壁３０の横壁３１ｂを平行とする両方の外側に可動ラチェット板３４を、絞り部材Ｇの横枠壁３６に中央ラチェット部４２と、その両側の側ラチェット部４３を形成したが、別に、底本体Ｄの頂壁１５の縦壁１６ａを平行とする両方の外縁に、案内口２０と固定ラチェット板２５を配設し、それに対応して、押上部材Ｅの底壁３０の縦壁３１ａを平行とする両方の外側に可動ラチェット板３４を、絞り部材Ｇの縦枠壁３５に中央ラチェット部４２と、その両側の側ラチェット部４３を形成するようにしてもよく、底本体Ｄの頂壁１５に配設される案内口２０と固定ラチェット板２５、および、それに対応して配設される押上部材Ｅの底壁３０の可動ラチェット板３４、絞り部材Ｇの中央ラチェット部４２と、側ラチェット部４３の配設位置は、上記実施例の実施形態に限定されない。
【実施例２】
【００６６】
次に、第１実施例の絞り部材の構成を変えた第２実施例について、説明する。
本実施例の第１実施例と同一の構成部分には、同一の符号を付して図示し、詳しい説明を省略し、相違点を中心に説明する。
【００６７】
図９において、Ａはチューブ容器、Ｂは二本のチューブ容器Ａを装着する二剤吐出器、Ｃは上部に二剤吐出器Ｂを装着するとともに、二本のチューブ容器Ａを覆うカバー本体、Ｄはカバー本体Ｃの下部に装着される底本体、Ｅは底本体Ｄの下部内方に弾性体Ｆを介して弾装される押上部材、Ｈはカバー本体Ｃ内で上昇するとともに、二本のチューブ容器Ａを絞る絞り部材である。
【００６８】
絞り部材Ｈは、図９、１０に示すように、頂壁５０と、頂壁５０の外縁から垂設されるそれぞれ一対の、カバー本体Ｃの縦壁１１ａに上下動可能に案内される縦枠壁３５と、底本体Ｄのそれぞれの固定ラチェット板２５および押上部材Ｅのそれぞれの可動ラチェット板３４に上下動可能に案内される横枠壁３６とから略四辺形に形成される外枠とを具えている。
【００６９】
頂壁５０には、本発明装置の組み立て時に、それぞれのチューブ容器Ａの板状の底部３が縦方向に挿入されるとともに、チューブ容器Ａの胴部２を下方から挟んで絞ることができる絞り口５１が、縦枠壁３５に平行に配設されている。
【００７０】
絞り口５１の両端には、内方に傾斜する案内傾斜壁５２と、案内傾斜壁５２の内端に垂設される絞り板５３が形成されている。
【００７１】
次に、本実施例の二連チューブ繰り出し装置の作用効果について、説明する。
本実施例の二連チューブ繰り出し装置の組み立ては、実施例１と同様に、チューブ容器Ａを装着したキャップ部材Ｂ１をカバー本体Ｃに装着した後、二剤吐出器Ｂを組み立て、底本体Ｄと押上部材Ｅを組み立てる。
【００７２】
次に、押上部材Ｅの可動ラチェット板３４および底本体Ｄの両側の固定ラチェット板２５と、絞り部材Ｈのそれぞれの横枠壁３６の中央ラチェット部４２および側ラチェット部４３を係合させながら、絞り部材Ｈの外枠の下面を、底本体Ｄの頂壁１５の上面に当接させるように、絞り部材Ｈを底本体Ｄに装着する。
【００７３】
最後に、二つのチューブ容器Ａの底部３を縦方向に、絞り部材Ｈのそれぞれの絞り口５１に挿入させていくとともに、底本体Ｄをカバー本体Ｃの係合壁１２内に装着し、本実施例の二連チューブ繰り出し装置となる。
その際、チューブ容器Ａの底部３は、絞り部材Ｈの絞り口５１を挿通するとともに、底本体Ｄの頂壁１５に設けたそれぞれの挿入口１９内に案内される。
【００７４】
本実施例の絞り部材Ｈは、押上部材Ｅの押し上げとともに押し上げられ、絞り部材Ｈの頂壁５０のそれぞれの絞り口５１の案内傾斜壁５２が、それぞれのチューブ容器Ａの胴部２と当接し、胴部２を下方から絞り込みむとともに、絞り板５３が、胴部２を潰した状態で固定させ、チューブ容器Ａ内の内容物を口筒部１から吐出することができる。
その他の作用効果は、実施例１と同様である。
【産業上の利用可能性】
【００７５】
本発明の二連チューブ繰り出し装置は、底本体に弾性体を介して装着した押上部材を押し上げることで、絞り部材が二本のチューブ容器から内容物を同時に吐出することが簡単にでき、また、チューブ容器を取り替えて繰り返し使うことができるので、二つの内容物を同時に吐出させる繰り出し装置として、広く使用できる。
【符号の説明】
【００７６】
Ａ          チューブ容器
Ｂ          二剤吐出器
Ｂ１        キャップ部材
Ｂ２        ジョイント部材
Ｂ３        ノズル下部材
Ｂ４        ノズル上部材
Ｃ          カバー本体
Ｄ          底本体
Ｅ          押上部材
Ｆ          弾性体
Ｇ、Ｈ      絞り部材
１          口筒部
２          胴部
３          底部
４、７      ねじ
５、１７    上壁
６          外筒
８          仕切り板
１０、１５、５０  頂壁
１１、１８  外周壁  
１１ａ、１６ａ、３１ａ  縦壁
１１ｂ、１６ｂ、３１ｂ  横壁
１２、１６  係合壁
１３        開口
１９        挿入口
２０        案内口
２１        挿入案内片
２２、３２  装着筒
２３        案内片
２４、３３  ラチェット歯
２４ａ、３３ａ、４４ａ、４５ａ  先端
２４ｂ、３３ｂ  上面
２４ｃ、３３ｃ、４４ｃ、４５ｃ  傾斜面
２５        固定ラチェット板
３０        底壁
３１        案内周壁
３４        可動ラチェット板
３５        縦枠壁
３６        横枠壁
３７        ローラー体
３８        軸部
３９        ローラー部
４０        軸受け部
４１        切欠き
４２        中央ラチェット部
４３        側ラチェット部
４４、４５  ラチェット突部
４４ｂ、４５ｂ  下面
５１        絞り口
５２        案内傾斜壁
５３        絞り板
【図１】
0005485109.tif 000002
【図２】
0005485109.tif 000003
【図３】
0005485109.tif 000004
【図４】
0005485109.tif 000005
【図５】
0005485109.tif 000006
【図６】
0005485109.tif 000007
【図７】
0005485109.tif 000008
【図８】
0005485109.tif 000009
【図９】
0005485109.tif 000010
【図１０】
0005485109.tif 000011